(57)【要約】【課題】医療用ドレープにおいて、ハサミ等の器具を用いることなく、容易に切り開くことが可能な構造を有する医療用ドレープを提供する。【解決手段】この医療用ドレープ１００Ａは、開口部１０２が設けられた基布１０１を備え、この基布１０１には、切れ目１０３ａ，１０５および補助布１０６から構成される脆弱領域が形成されている。【選択図】　　　　図１
2004057564.tif 000002
【特許請求の範囲】
【請求項１】
患者を被包し、患部のみを露出させるための医療用ドレープであって、
前記患部を露出するための開口部（１０２）が設けられる、シート状の基布（１０１）と、
前記開口部（１０２）を取囲むように、前記基布（１０１）の裏面側に設けられ、前記基布（１０１）を前記患者に固定するための固着手段（１０３）と、
前記基布（１０１）の縁部（１０１ｆ）から前記開口部（１０２）に達するように、前記基布（１０１）および前記固着手段（１０３）に設けられる脆弱領域（１０３ａ，１０４）と、
を備える、医療用ドレープ。
【請求項２】
前記脆弱領域（１０３ａ，１０４）は、
前記基布（１０１）および前記固着手段（１０３）に設けられる切れ目（１０５）と、
前記切れ目（１０５）を覆うように、前記基布（１０１）に貼着される補助布（１０６）と、
を有する、請求項１に記載の医療用ドレープ。
【請求項３】
前記基布（１０１）および前記補助布（１０５）は、表面側に吸水性に富んだ材料が用いられ、裏面側に防水性に富んだ材料が用いられる、請求項２に記載の医療用ドレープ。
【発明の詳細な説明】
【０００１】
【発明の属する技術分野】
この発明は、医療用ドレープに関し、より特定的には、医療現場における取扱の簡便性の向上を図る医療用ドレープの構造に関する。
【０００２】
【従来の技術】
医療現場において、患者に対して手術を行なう場合、または、所定の検査等を行なう場合に、患部からの出血や輸液の飛散による周囲の汚染、術者への感染、患部周辺領域の滅菌等を図る観点から、患者を被包し、患部のみを露出させるための医療用ドレープが用いられる。
【０００３】
図６を参照して、この医療用ドレープ２００は、たとえば、矩形形状の一辺が９０ｃｍであり、その中央部に直径約９ｃｍの開口部２０２が設けられた基布２０１を備えている。また、開口部２０２を取囲むように、基布２０１の裏面側には、基布２０１を患者に固定するための両面粘着シール２０３が貼着されている。
【０００４】
医療用ドレープ２００の使用時においては、患者の患部のみを露出するように開口部２０２を配置し、両面粘着シール２０３により基布２０１を患者に固定する。これにより、患部以外の領域は、医療用ドレープ２００により被われ、患部からの出血や輸液の飛散による周囲の汚染、術者への感染等の防止を図ることを可能としている。
【０００５】
【発明が解決しようとする課題】
医療用ドレープ２００は、患者への手術が終了した後は取り除かれる。しかし、患部に医療器具が取りつけられたまま手術等が終了した場合（たとえば、患部である腕に点滴用のラインが確保された場合）には、点滴用のラインが開口部２０２を通過した状態のままであるため、医療用ドレープ２００をその縁部から開口部２０２にかけて切り開かないと、医療用ドレープ２００を患者から排除することはできない。
【０００６】
手術室等においては、身近な場所にハサミ３００があるため、容易に医療用ドレープ２００を切り開くことができるが、病棟などにおいて、簡易的に手術を行なう場合には、身近な場所にハサミ等がない場合がある。そのため、医療用ドレープ２００を切り開くことができない場合が生じる。また、近年、病棟などにおいて、検査のために患者の腕等に点滴用のラインを確保する場合には、医療用ドレープを用いることが推奨されるようになってきていることから、このような問題が増大するものと思われる。
【０００７】
したがって、この発明の目的は、上記課題を解決するためになされたもので、医療用ドレープにおいて、ハサミ等の器具を用いることなく、容易に切り開くことが可能な構造を有する医療用ドレープを提供することにある。
【０００８】
【課題を解決するための手段】
上記目的を達成するため、この発明に基づいた医療用ドレープにおいては、患者を被包し、患部のみを露出させるための医療用ドレープであって、記患部を露出するための開口部が設けられるシート状の基布と、開口部を取囲むように、基布の裏面側に設けられ、基布を患者に固定するための固着手段と、基布の縁部から開口部に達するように、基布および固着手段に設けられる脆弱領域とを備える。
【０００９】
この構成により、脆弱領域に対して所定の外力、たとえば手により切り開くように基布に力を加えた場合、基布はこの脆弱領域に沿って、その縁部から開口部にかけて切り開くことが可能になる。その結果、医療用ドレープを切り開く必要が生じた場合にも、ハサミ等の器具を用いる必要がないため、作業の効率化を図ることが可能になる。
【００１０】
また、上記医療用ドレープにおいて、好ましい形態としては、脆弱領域は、基布および固着手段に設けられる切れ目と、この切れ目を覆うように、基布に貼着される補助布とを有している。また、このましくは、基布および補助布は、表面側に吸水性に富んだ材料が用いられ、裏面側に防水性に富んだ材料が用いられる。これにより、脆弱領域を含む医療用ドレープの表面全体において、患部からの出血や輸液の飛散によっても液体が吸収され、他の領域への二次的な飛散を確実に防止することが可能になる。また、表面側において吸収された液体は、裏面側においてその内部への浸透が阻止されるため、患者への液体の付着が防止される。その結果、医療用ドレープにおいて本質的に求められる、周囲の汚染、術者への感染、患部周辺領域の滅菌等の要求を具備させることが可能になる。
【００１１】
【発明の実施の形態】
以下、この発明に基づいた実施の形態における医療用ドレープについて、図を参照しながら説明する。
【００１２】
（医療用ドレープ１００Ａの構造）
まず、図１および図２を参照して、本実施の形態における医療用ドレープ１００Ａの構造について説明する。なお、図１は、医療用ドレープ１００Ａの全体構造を示す全体斜視図であり、図２は、図１中ＩＩ−ＩＩ線矢視断面図である。
【００１３】
この医療用ドレープ１００Ａは、たとえば、矩形形状の一辺が約９０ｃｍであり、その中央部に直径約９ｃｍの開口部１０２が設けられた基布１０１を備えている。この基布は、図２の断面構造図に示すように、表面側に吸水性に富んだ材料からなる表面側シート１０１ａを有し、たとえば、不織布等が用いられている。また、裏面側には、防水性に富んだ材料からなる裏面側シート１０１ｂを有し、たとえば、ポリエチレンフィルム等が用いられている。
【００１４】
表面側シート１０１ａと裏面側シート１０１ｂとは、所定の接着剤により張合わされている。
【００１５】
基布１０１の裏面側における開口部１０２の外周部には、この開口部１０２を取囲むように、固着手段としての両面粘着シール１０３が貼着されている。
【００１６】
本実施の形態における医療用ドレープ１００Ａの特徴的構造として、基布１０１には、基布１０１の縁部１０１ｆから開口部１０２に達するように、基布１０１および両面粘着シール１０３に切れ目１０３ａ，１０５が設けられている。また、この切れ目１０３ａ，１０５に沿って、基布１０１の表面側には、切れ目１０３ａ，１０５を覆うように、補助布１０６が貼着されている。
【００１７】
補助布１０６は、上記基布１０１と同様、図２の断面構造図に示すように、表面側に吸水性に富んだ材料からなる表面側シート１０６ａを有し、たとえば、不織布等が用いられている。また、裏面側には、防水性に富んだ材料からなる裏面側シート１０６ｂを有し、たとえば、ポリエチレンフィルム等が用いられている。表面側シート１０１ａと裏面側シート１０１ｂとは、所定の接着剤により張合わされ、また、基布１０１と補助布１０５とも、所定の接着剤により張合わされている。
【００１８】
（作用・効果）
上述した医療用ドレープ１００Ａによれば、切れ目１０３ａ，１０５および補助布１０６から構成される脆弱領域が形成されることにより、図３に示すように、脆弱領域に対して所定の外力、たとえば手により切り開くように基布に力を加えた場合（図３中、矢印Ａ方向）、基布１０１はこの脆弱領域に沿って、その縁部１０１ｆから開口部１０２にかけて切り開くことが可能になる。その結果、医療用ドレープを切り開く必要が生じた場合にも、ハサミ等の器具を用いる必要がないため、作業の効率化を図ることが可能になる。
【００１９】
また、補助布１０５を基布１０１と同様の材料を用いることにより、脆弱領域を含む医療用ドレープ１００Ａの表面全体において、患部からの出血や輸液の飛散によっても液体が吸収され、他の領域への二次的な飛散を確実に防止することが可能になる。また、医療用ドレープ１００Ａの表面側において吸収された液体は、裏面側においてその内部への浸透が阻止されるため、患者への液体の付着が防止される。その結果、医療用ドレープ１００Ａにおいて本質的に求められる、周囲の汚染、術者への感染、患部周辺領域の滅菌等の要求を具備させることが可能になる。
【００２０】
（他の実施の形態）
上述した医療用ドレープ１００Ａの構造以外に、図４に示すような医療用ドレープ１００Ｂを採用することも可能である。この医療用ドレープ１００Ｂは、基布１０１の縁部１０１ｆから開口部１０２に向かう方向（一方方向）に、容易に切れる補助布１０７として、テープを用いるようにしたものである。その他の構成は、医療用ドレープ１００Ａと同じであるため、その説明は繰返さないこととする。
【００２１】
このように、一方方向に切れる補助布１０７を設けることによっても、図５に示すように、基布１０１はこの脆弱領域に沿って、その縁部１０１ｆから開口部１０２にかけて切り開くことが可能になり、上述した医療用ドレープ１００Ａと同様の作用効果を得ることが可能となる。
【００２２】
なお、上記実施の形態においては、基布１０１および補助布１０５として、吸水性に富んだシートと、防水性に富んだシートとの２重構造を採用しているが、必ずしも２重構造に限定されるものでなく、用いられる用途に応じて、１重構造、または、３重以上の積層構造を採用することも可能である。
【００２３】
また、脆弱領域を１個所設けるようにしているが、必要に応じて２箇所以上設けることも可能である。また、補助布を基布１０１の表面側に貼着した場合について説明しているが、裏面側に貼着しても構わない。
【００２４】
また、基布１０１の形状として矩形形状だけでなく、円形、三角形、その他多角形からなる形状の採用も可能である。また、基布の寸法、開口部の大きさも、上記実施の形態に示した大きさに限定されるものでなく、用途に応じて、適宜最適な大きさに選択されるものである。
【００２５】
したがって、今回開示された実施の形態はすべての点で例示であって、制限的に解釈されるものではない。本発明の技術的範囲は、上記実施の形態ではなく特許請求の範囲によって画定され、特許請求の範囲と均等の意味および範囲内でのすべての変更が含まれることが意図される。
【００２６】
【発明の効果】
この発明に基づいた医療用ドレープによれば、医療用ドレープを切り開く必要が生じた場合にも、ハサミ等の器具を用いる必要がないため、作業の効率化を図ることが可能になる。
【図面の簡単な説明】
【図１】この発明に基づいた実施の形態における医療用ドレープの構造を示す全体斜視図である。
【図２】図１中ＩＩ−ＩＩ線矢視断面図である。
【図３】この発明に基づいた実施の形態における医療用ドレープを切り開いた状態を示す全体斜視図である。
【図４】この発明に基づいた他の実施の形態における医療用ドレープの構造を示す全体斜視図である。
【図５】この発明に基づいた他の実施の形態における医療用ドレープを切り開いた状態を示す全体斜視図である。
【図６】従来の技術における医療用ドレープの構造を示す全体斜視図である。
【符号の説明】
１００Ａ，１００Ｂ　医療用ドレープ、１０１　基布、１０１ａ，１０６ａ　表面側シート、１０１ｂ，１０６ｂ　裏面側シート、１０１ｆ　縁部、１０２　開口部、１０３　両面粘着シール、１０３ａ，１０５　切れ目、１０３ｂ，１０４　ミシン目、１０６，１０７　補助布。
【図１】
2004057564.tif 000003
【図２】
2004057564.tif 000004
【図３】
2004057564.tif 000005
【図４】
2004057564.tif 000006
【図５】
2004057564.tif 000007
【図６】
2004057564.tif 000008